(57)【特許請求の範囲】
【請求項１】
ヘッドと前記ヘッドから延びるハンドルとを備えるマイクロホンとともに使用するマイクロホンアクセサリであって、
使用中に前記マイクロホンアクセサリを前記マイクロホンの前記ハンドルに取り付ける取付け構造と、
前記取付け構造に連結され、かつ前記取付け構造により前記マイクロホンの前記ハンドルに取り付けられた前記マイクロホンアクセサリによって使用中、使用者の手を実質的に隠すかまたは覆うカバー部分と、
前記カバー部分に取り付けられるかまたは着脱可能に取付け可能な、静的ディスプレイ、電子表示デバイス、ホログラフィック表示デバイス、および投影表示デバイスを含む群から選択される少なくとも１つの通信内容を表示する少なくとも１つのディスプレイおよび／または表示デバイスと
を備える本体を有する、マイクロホンアクセサリ。
【請求項２】
前記取付け構造は、前記マイクロホンアクセサリを前記マイクロホンの前記ハンドルに取り付けるクリップと、前記カバー部分と前記クリップとを離間させるスペーサとを備える、請求項１に記載のマイクロホンアクセサリ。
【請求項３】
使用中使用者の手が係合可能な保持部分をさらに備え、前記カバー部分は前記保持部分に連結され、前記カバー部分が実質的に保持ゾーンおよび／または前記保持部分に係合する前記使用者の手を隠すかまたは覆うように、使用中に前記保持部分と係合する前記使用者の手を受容するための、前記保持部分と前記カバー部分との間の前記保持ゾーンを規定するように実質的に保持部分から離間される、請求項１に記載のマイクロホンアクセサリ。
【請求項４】
前記取付け構造は、前記マイクロホンの前記ハンドルを内部で軸方向に受容する前記保持部分内に設置される受容スロットまたは通路の形態であり、前記受容スロットまたは通路は内部で前記マイクロホンの前記ハンドルを軸方向に受容するように成形および／または寸法決めされる、請求項３に記載のマイクロホンアクセサリ。
【請求項５】
前記保持部分は、内部で前記マイクロホンの前記ハンドルを軸方向に受容可能な略円筒形体積の受容スロットの形態の前記取付け構造を規定し、前記カバー部分はその長さに沿って前記保持部分に取り付けられるかまたは着脱可能に取付け可能な第１の端部および第２の自由端部を有するシート状部材の形態であり、前記カバー部分は、前記保持部分との間に前記保持ゾーンを規定するように、実質的に湾曲してまたは前記保持部分と同軸で延び、前記保持部分から離間される、請求項３に記載のマイクロホンアクセサリ。
【請求項６】
前記カバー部分は２次元もしくは３次元形状の形態であり、かつ／または前記カバー部分は、前記カバー部分の操作可能な外表面の大部分に実質的に延びる平坦もしくは湾曲した表示スクリーンの形態であるか該表示スクリーンを含む、請求項１に記載のマイクロホンアクセサリ。
【請求項７】
前記マイクロホンアクセサリは、マイクロホンフラッグに着脱可能に取付け可能であるようなフラッグ係合構造を備える、請求項１に記載のマイクロホンアクセサリ。
【請求項８】
前記保持部分は、円筒形、円形、丸い形状、テーパ、チューブ状、およびロッド形状のうち少なくとも１つを含む群から選択される形状を有し、前記カバー部分は、曲面、変形可能、改造可能、平面状、略平面状、丸い形、湾曲可能、軟質、および／または剛性、半剛性、１つ以上の取付部材により保持部分に取り付けられるかまたは着脱可能に取付け可能のうち少なくとも１つを含む群から選択される部材の形態であり、前記取付部材によって前記保持部分は前記カバー部分から離間され、間に前記保持ゾーンを規定する、請求項３に記載のマイクロホンアクセサリ。
【請求項９】
前記カバー部分は実質的に前記保持部分の長さだけ延び、使用中に前記保持ゾーンおよび／または前記使用者の手を実質的に覆うように選択される幅を有する、請求項３に記載のマイクロホンアクセサリ。
【請求項１０】
前記取付け構造は、前記マイクロホンの前記ハンドルに接続可能な好適な配線を受容するように接続通路を備える、請求項１に記載のマイクロホンアクセサリ。
【請求項１１】
前記マイクロホンアクセサリは、前記保持ゾーンにおいて前記使用者の手が前記保持部分に係合するのを容易にする係合構造を備える、請求項３に記載のマイクロホンアクセサリ。
【請求項１２】
電源と、
電子可変表示デバイスおよび／または前記ホログラフィック表示デバイスおよび／または前記投影表示デバイスによって表示するための電子可変メディアを保存するデータ記憶デバイスと、
前記電子可変表示デバイスを制御して前記データ記憶デバイスに保存された電子可変メディアを表示するように構成されるプロセッサと
をさらに備える、請求項１に記載のマイクロホンアクセサリ。
【請求項１３】
前記マイクロホンアクセサリは、電子可変メディアを示す無線信号を受信するように構成された無線通信モジュールを備え、前記プロセッサは、前記無線通信モジュールを介して無線で受信される電子可変メディアを表示する前記電子可変表示デバイスを制御するように構成される、請求項１２に記載のマイクロホンアクセサリ。
【請求項１４】
ヘッドと前記ヘッドから延びるハンドルとを備えるマイクロホンの使用方法であって、使用中に使用者の手を実質的に隠すかまたは覆うカバー部分に連結された取付け構造によって前記マイクロホンの前記ハンドルに取付け可能なマイクロホンアクセサリの前記カバー部分に取り付けられるかまたは着脱可能に取付け可能な、静的ディスプレイ、電子表示デバイス、ホログラフィック表示デバイス、および投影表示デバイスを含む群から選択されるデバイスを介して少なくとも１つの通信内容を表示することを含む、方法。
【請求項１５】
前記マイクロホンアクセサリは使用中に使用者の手が係合する保持部分を備え、前記カバー部分は前記保持部分に連結され、前記カバー部分が前記使用者の手を実質的に隠すかまたは覆うように、使用中に前記保持部分と係合する前記使用者の手を受容するための前記保持部分と前記カバー部分との間の保持ゾーンを規定するように実質的に前記保持部分から離間される、請求項１４に記載の方法。
【請求項１６】
前記取付け構造は、前記マイクロホンの前記ハンドルを内部で軸方向に受容する前記保持部分内に設置される受容スロットまたは通路の形態であり、前記方法は前記マイクロホンの前記ハンドルをホルダの前記受容スロットまたは通路に配置することを含む、請求項１５に記載の方法。
【請求項１７】
前記保持部分は略円筒形であり、前記カバー部分はその長さに沿って前記保持部分に取り付けられるかまたは着脱可能に取付け可能な第１の端部および第２の自由端部を有するシート状部材の形態であり、前記カバー部分は、前記保持部分との間に前記保持ゾーンを規定するように、実質的に湾曲してまたは前記保持部分と同軸で延び、前記保持部分から離間される、請求項１５に記載の方法。
【請求項１８】
前記保持部分は円筒形であり、前記カバー部分は１つ以上の取付部材によって前記保持部分に取り付けられるかまたは着脱可能に取付け可能な平面状および／または湾曲した部材の形態であり、前記取付部材によって前記保持部分から前記カバー部分は離間され、間に前記保持ゾーンを規定する、請求項１５に記載の方法。
【請求項１９】
ヘッドと前記ヘッドから延びるハンドルとを備えるマイクロホンとともに使用するマイクロホンアクセサリであって、
使用中に前記マイクロホンアクセサリを前記マイクロホンの前記ハンドルに取り付ける取付け構造と、
使用中に使用者の手が係合し、前記使用者の手が手袋のように係合可能なウェアラブルな保持部分である保持部分と、
前記保持部分に連結され、使用中に前記マイクロホンの前記ハンドルおよび／または前記使用者の手を実質的に隠すかまたは覆うカバー部分と、
前記カバー部分に取り付けられるかまたは着脱可能に取付け可能な、静的ディスプレイ、電子表示デバイス、ホログラフィック表示デバイス、および投影表示デバイスを含む群から選択される少なくとも１つの通信内容を表示する少なくとも１つのディスプレイおよび／または表示デバイスと
を備える本体を有する、マイクロホンアクセサリ。
【請求項２０】
前記カバー部分は、曲面、変形可能、改造可能、平面状、略平面状、丸い形、湾曲可能、軟質、かつ／または剛性、半剛性、保持部分に取り付けられるかまたは着脱可能に取付け可能のうち少なくとも１つを含む群から選択される部材の形態であり、前記カバー部分は使用中に、前記マイクロホンの前記ハンドルおよび／または前記使用者の手を実質的にかつ／または全体または一部を実質的に隠すかまたは覆う、請求項１９に記載のマイクロホンアクセサリ。
【発明の詳細な説明】
【技術分野】
【０００１】
本発明は一般に、マイクロホンアクセサリと、マイクロホン、特にテレビ放送等の間音声ピックアップのために使用されるマイクロホンの使用方法に関する。
【背景技術】
【０００２】
従来のマイクロホンは一般的に、好適な音声トランスデューサが入ったヘッドと、マイクロホンの縦軸を中心としてマイクロホンヘッドから延びる細長ハンドルまたはステムまたは軸とを少なくとも備える。
【０００３】
例えば広告目的等で視聴者にメッセージを提供するために、静的活字メディア、または例示的実施形態によっては電子可変データを表示する１つ以上のディスプレイパネルを有する立方体マイクロホンフラッグは通常、マイクロホンのハンドルとヘッドとの接合部の横にカラー状で提供される。より詳細には、多くのマイクロホンフラッグは、ハンドルがそこから突出するようにマイクロホンのハンドルを摺動可能に受容できる中央穴を備える。このようにして、メッセージはマイクロホンフラッグにより視聴者に伝達される一方、使用中、プレゼンタは通常ハンドルによりマイクロホンを持つことができる。
【発明の概要】
【発明が解決しようとする課題】
【０００４】
しかし、従来のマイクロホンフラッグには、フラッグは広告データを提供するがマイクロホンを通常通りに持つこともできるような特定の構成でなければならないという点で限界があることが理解されよう。多くの放送局はマイクロホンフラッグを介して表示される広告の料金を請求するが、得られる効果は、操作可能に取り付けられた従来のマイクロホンフラッグとともに撮影されたマイクロホンの放送局は、操作可能に取り付けられた本明細書に記載される種類のマイクロホンフラッグを有するマイクロホンの使用した場合の最大限の収入を必ずしも得られないかもしれないということである。
【課題を解決するための手段】
【０００５】
本発明の一態様によると、ヘッドとヘッドから延びるハンドルとを備えるマイクロホンとともに使用するマイクロホンアクセサリが提供され、マイクロホンアクセサリは、
使用中にマイクロホンアクセサリをマイクロホンのハンドルに取り付ける取付け構造と、
取付け構造に連結され、かつ取付け構造によりマイクロホンハンドルに取り付けられたアクセサリによって使用中、使用者の手を実質的に隠すかまたは覆うカバー部分と、
カバー部分に取り付けられるかまたは着脱可能に取付け可能な、静的ディスプレイ、電子表示デバイス、ホログラフィック表示デバイス、および投影表示デバイスを含む群から選択される少なくとも１つの通信内容を表示する少なくとも１つのディスプレイおよび／または表示デバイスと
を備える本体を有する。
【０００６】
取付け構造はアクセサリをマイクロホンハンドルに取り付けるクリップ、例えば、Ｏ−リングクリップと、カバー部分とクリップとを離間させるスペーサとを備えてよい。このようにして、マイクロホンハンドルとカバー部分との間には、アクセサリが使用中にマイクロホンハンドルに取り付けられたとき、スペーサにより規定されるだけの保持ゾーンまたは隙間がある。
【０００７】
マイクロホンアクセサリは使用中使用者の手が係合可能な保持部分を備えてよく、カバー部分は保持部分に連結され、カバー部分が実質的に保持ゾーンおよび／または保持部分に係合する使用者の手を隠すかまたは覆うように、使用中に保持部分と係合する使用者の手を受容するための、保持部分とカバー部分との間の保持ゾーンを規定するように実質的に保持部分から離間される。
【０００８】
取付け構造は、マイクロホンハンドルを内部で軸方向に受容する保持部分内に設置される受容スロットまたは通路の形態であってよく、受容スロットまたは通路は内部でマイクロホンのハンドルを軸方向に受容するように成形および／または寸法決めされる。
【０００９】
保持部分は、内部でマイクロホンハンドルを軸方向に受容可能な略円筒形体積の受容スロットの形態の取付け構造を規定してもよく、カバー部分はその長さに沿って保持部分に取り付けられるかまたは着脱可能に取付け可能な第１の端部および第２の自由端部を有するシート状部材の形態であり、カバー部分は、保持部分との間に保持ゾーンを規定するように、実質的に湾曲してまたは保持部分と同軸で延び、保持部分から離間される。
【００１０】
カバー部分は２次元もしくは３次元形状の形態であってよく、かつ／またはカバー部分は、カバー部分の操作可能な外表面の大部分に実質的に延びる平坦もしくは湾曲した表示スクリーンの形態であるかこれを含む。
【００１１】
アクセサリは、マイクロホンフラッグに着脱可能に取付け可能であるようなフラッグ係合構造を備えてよい。
【００１２】
保持部分は、円筒形、円形、丸い形状、テーパ、チューブ状、およびロッド形状のうち少なくとも１つを含む群から選択される形状を有してよく、カバー部分は、曲面、変形可能、改造可能、平面状、略平面状、丸い形、湾曲可能、軟質、かつ／または剛性、半剛性、１つ以上の取付部材により保持部分に取り付けられるかまたは着脱可能に取付け可能のうち少なくとも１つを含む群から選択される部材の形態であり、取付部材によって保持部分からカバー部分は離間され、間に保持ゾーンを規定する。
【００１３】
カバー部分は実質的に保持部分の長さだけ延びてよく、使用中に保持ゾーンおよび／または使用者の手を実質的に覆うように選択される幅を有してよい。
【００１４】
取付け構造は、マイクロホンハンドルに接続可能な好適な配線を受容するように接続通路を備えてよい。
【００１５】
マイクロホンアクセサリは、保持ゾーンにおいて使用者の手が保持部分に係合するのを容易にする係合構造を備えてよい。
マイクロホンアクセサリは、
電源と、
電子可変表示デバイスおよび／またはホログラフィック表示デバイスおよび／または投影表示デバイスによって表示するための電子可変メディアを保存するデータ記憶デバイスと、
電子可変表示デバイスを制御してデータ記憶デバイスに保存された電子可変メディアを表示するように構成されるプロセッサと
をさらに備えてよい。
【００１６】
アクセサリは、電子可変メディアを示す無線信号を受信するように構成された無線通信モジュールを備えてよく、プロセッサは、無線通信モジュールを介して無線で受信される電子可変メディアを表示する電子可変表示デバイスを制御するように構成される。
【００１７】
本発明の別の態様によると、ヘッドとヘッドから延びるハンドルとを備えるマイクロホンの使用方法が提供され、本方法は、使用中に使用者の手を実質的に隠すかまたは覆うカバー部分に連結された取付け構造によってマイクロホンのハンドルに取付け可能なマイクロホンアクセサリのカバー部分に取り付けられるかまたは着脱可能に取付け可能な、静的ディスプレイ、電子表示デバイス、ホログラフィック表示デバイス、および投影表示デバイスを含む群から選択されるデバイスを介して少なくとも１つの通信内容を表示することを含む。
【００１８】
マイクロホンアクセサリは使用中に使用者の手が係合する保持部分を備えてよく、カバー部分は保持部分に連結され、カバー部分が使用者の手を実質的に隠すかまたは覆うように、使用中に保持部分と係合する使用者の手を受容するための保持部分とカバー部分との間の保持ゾーンを規定するように実質的に保持部分から離間される。
【００１９】
取付け構造は、マイクロホンハンドルを内部で軸方向に受容する保持部分内に設置される受容スロットまたは通路の形態であってよく、本方法はマイクロホンハンドルをホルダの受容スロットまたは通路に配置することを含む。
【００２０】
保持部分は略円筒形であってよく、カバー部分はその長さに沿って保持部分に取り付けられるかまたは着脱可能に取付け可能な第１の端部および第２の自由端部を有するシート状部材の形態であってよく、カバー部分は、保持部分との間に保持ゾーンを規定するように、実質的に湾曲してまたは保持部分と同軸で延び、保持部分から離間される。
【００２１】
保持部分は円筒形であってよく、カバー部分は１つ以上の取付部材によって保持部分に取り付けられるかまたは着脱可能に取付け可能な平面状および／または湾曲した部材の形態であってよく、取付部材によって保持部分からカバー部分は離間され、間に保持ゾーンを規定する。
【００２２】
本発明のさらに別の態様によると、ヘッドとヘッドから延びるハンドルとを備えるマイクロホンとともに使用するマイクロホンアクセサリが提供され、マイクロホンアクセサリは、
使用中にマイクロホンアクセサリをマイクロホンのハンドルに取り付ける取付け構造と、
使用中に使用者の手が係合し、使用者の手が手袋のように係合可能なウェアラブルな保持部分である保持部分と、
保持部分に連結され、使用中にマイクロホンハンドルおよび／または使用者の手を実質的に隠すかまたは覆うカバー部分と、カバー部分に取り付けられるかまたは着脱可能に取付け可能な、静的ディスプレイ、電子表示デバイス、ホログラフィック表示デバイス、および投影表示デバイスを含む群から選択される少なくとも１つの通信内容を表示する少なくとも１つのディスプレイおよび／または表示デバイスと
を備える本体を有する。
【００２３】
カバー部分は、曲面、変形可能、改造可能、平面状、略平面状、丸い形、湾曲可能、軟質、かつ／または剛性、半剛性、保持部分に取り付けられるかまたは着脱可能に取付け可能のうち少なくとも１つを含む群から選択される部材の形態であってよく、カバー部分は使用中に、マイクロホンハンドルおよび／または使用者の手を実質的にかつ／または全体または一部を実質的に隠すかまたは覆う。
【００２４】
本発明の別の態様によると、マイクロホンハンドルまたはスリーブと、少なくとも１つのディスプレイ領域を有するカバーまたはシールドとが提供される。表示シールドは、使用者の手を見えないように隠し、かつ同時に視聴者に少なくとも１つの通信内容を表示する表示手段として使用または利用されるハンドシールドも兼ねる。表示シールドは、少なくとも１つの表示ゾーンを備えてよい。表示シールドはカバー部分に（または他の好適な取付け手段を使用することによって）永久的または着脱可能に取り付けられ、カバー部分はマイクロホンハンドルに永久的または着脱可能に取り付けられてよい。
【００２５】
本明細書にて開示する本発明は、本明細書で特定される問題の所望の結果を達成するためのシステム、手段および方法を開示した。
【００２６】
本発明は、本発明の好ましい実施形態について開示している。
【００２７】
ここで以下の図面を参照して本発明は非限定的な例のみにより説明される。
【図面の簡単な説明】
【００２８】
【図１】図１は、例示的実施形態によるマイクロホンアクセサリとともに使用するように構成された種類の手持ち式マイクロホンを示す。
【図２】図２は、例示的実施形態によるマイクロホンアクセサリを示す。
【図３】図３は、マイクロホンハンドルに取り付ける準備ができている、例示的実施形態によるマイクロホンアクセサリを示す。
【図４】図４は、例示的実施形態による手持ち式マイクロホンに操作可能に取り付けられるマイクロホンアクセサリを示す。
【図５】図５は、マイクロホンフラッグが操作可能に取り付けられたマイクロホンハンドルに取り付ける準備ができている、例示的実施形態によるマイクロホンアクセサリを示す。
【図６】図６は、マイクロホンアクセサリの別の例示的実施形態を示す。
【図７】図７は、マイクロホンアクセサリの別の例示的実施形態を示す。
【図８】図８は、マイクロホンアクセサリの別の例示的実施形態を示す。
【図９】図９は、マイクロホンアクセサリが取り付けられていない手持ち式マイクロホンの使用中の場面を表示する表示デバイスの例示図を示す。
【図１０】図１０は、マイクロホンに取り付けられているマイクロホンアクセサリの場面を表示するモバイル表示デバイスの別の例示図を示す。
【図１１】図１１は、使用者に保持されたマイクロホンにおける使用中操作可能なマイクロホンアクセサリおよびマイクロホンフラッグの場面を表示する表示デバイスの別の例示図を示す。
【図１２】図１２は、マイクロホンフラッグおよびマイクロホンに取り付けられたマイクロホンアクセサリの場面を表示する表示デバイスの別の例示図を示す。
【図１３Ａ】図１３Ａは、別の例示的実施形態のマイクロホンアクセサリを示す。
【図１３Ｂ】図１３Ｂは、マイクロホンハンドルで使用する準備ができている別の例示的実施形態のマイクロホンアクセサリを示す。
【図１４】図１４は、マイクロホンに取り付けるための別の例示的実施形態のマイクロホンアクセサリを示す。
【図１５】図１５は、例示的実施形態のマイクロホンアクセサリを保持する手を示す。
【図１６】図１６は、別の例示的実施形態のマイクロホンアクセサリの使用者の手で使用中の場面を表示する表示デバイスの例示図を示す。
【図１７】図１７は、別の例示的実施形態のマイクロホンアクセサリの斜視図を示す。
【図１８】図１８は、マイクロホンハンドルで使用する準備ができているマイクロホンアクセサリの別の例示的実施形態を示す。
【図１９】図１９は、別の例示的実施形態のマイクロホンアクセサリの使用者の手で使用中の場面を表示する表示デバイスの例示図を示す。
【図２０】図２０は、別の例示的実施形態のマイクロホンアクセサリの使用者の手で使用中の場面を表示する表示デバイスの例示図を示す。
【発明を実施するための形態】
【００２９】
本明細書で使用する用語「通信内容」とは、任意の表示、マーク、広告、ロゴ、３Ｄ印刷物、クーポン、宣伝文句、記号、数字、文字、語、記号セット、説明、および／または任意の他の永久的もしくは一時的な物理的形態もしくは情報を表す形態を意味する。
【００３０】
通信内容は電子表示デバイスに表示される電子通信内容であってよく、かつ／または通信内容は非電子もしくは静的通信内容であってよい。
【００３１】
静的通信内容は紙、厚紙、プラスチック、ビニル、壁、塗面、ゴム、これらの任意の組み合わせ、または任意の他の好適な材料等の材料の表面上かつ／または下に表示されてよい。
【００３２】
静的通信内容は材料の表面に着脱可能または永久的に取り付けられてよい。静的通信内容は静的表示ゾーンに直接印刷されてよく、かつ／または静的通信内容は、紙および／もしくはビニルおよび／もしくはビニル紙および／もしくはプラスチックおよび／もしくはアルミニウムおよび／もしくは金属化プラスチックおよび／もしくはプラスチック誘導体もしくはハイブリッド材料等の第２の媒体に印刷され、静的表示ゾーンに、接着剤、ベルクロ、摩擦係合、磁気引力等を含む各種手段によって着脱可能および／または永久的に取り付けられてよい。
【００３３】
本発明で使用する用語「トランスミッタ」または「送信され」とは、デジタルおよび／またはアナログまたはその他で示される、光、映像、撮影（ｆｉｌｍｅｄ）、レーダ、ソナー、超音波、視覚、赤外線、音響、電気、磁気、電磁気または他で示された信号を送信するか、放射するか、または分配する任意のデバイスを意味する。
【００３４】
本発明で使用する用語「レシーバ」または「受信され」とは、デジタルおよび／またはアナログまたは他で示される、視覚、光、レーダ、ソナー、赤外線、撮影、超音波、音響、電気、磁気、電磁気または他で示された信号および／または画像または一連の画像（映像等）を獲得かつ／または捕捉する任意のデバイスを意味する。レシーバは写真用レンズおよび関連する撮像デバイスを使用して、車両および／または人の画像を含む画像を捕捉してよい。
【００３５】
適切な文脈中で使用される場合、用語「デバイス」とは、任意のトランスミッタおよび／またはレシーバを意味する。デバイスおよび／または表示手段としては、少なくとも１つの画像または複数の画像表示するように構成される電子表示デバイスを挙げてもよく、特定のデータを表示および／または使用する必要なソフトウェア、ハードウェア、回路機構、電源、データ、データベース、入力手段、送信および／または受信手段、インタフェース等、静的表示手段の表面に印刷すること、および／または第２の表示手段を（例えば、その上に表示された通信内容を有する紙を接着剤等の好適な取付け手段を使用して表示手段の表面に）取り付けること、および／または電気機械的表示手段を使用した少なくとも１つの通信内容の表示、またはその他の好適な通信内容表示手段を含むさまざまな好適な手段によって、通信内容が直接または間接的に表示できるディスプレイ表面を備えた静的表示手段が挙げられる。加えて、用語「デバイス」とは、記載されている種類のデバイスおよび／または表示手段を意味する。
【００３６】
用語「画像」とは、デジタルであれアナログであれ、フィルムであれ映像であれ単一の画像または一連の画像を含む。
【００３７】
本明細書では、「フィルムに」または「映像」にとは、画像または一連の画像を、アナログまたはデジタル形態で化学、磁気、または光を含む好適な方法で捕捉することを意味し、「撮影する」および「フィルム」または「録画され」および「録画する」（動詞として）は対応する意味を有する。画像または一連の画像の撮影または録画はカメラによって行われ記録できる。カメラは、画像を捕捉して電気インパルス（アナログおよび／またはデジタル）に変換する電子デバイスであるカメラまたはその他の好適な手段により感光性材料に物体の画像を記録することを含む。
【００３８】
本明細書で使用する用語「連結され」、「に連結され」および「と連結され」とは、（ａ）直接もしくは間接的な、永久的もしくは着脱可能な、または１つ以上のその他のデバイス、装置、ファイル、ケーブル、無線、プログラム、媒体、コンポーネント、ネットワーク、システム、サブシステムもしくは手段、磁石、接着剤、摩擦、嵌め込み形結合、クリップ、ベルクロ、取付け手段、接続手段を介した接続および／または取付け、（ｂ）直接もしくは間接的な、または１つ以上のその他のデバイス、装置、ファイル、プログラム、媒体、コンポーネント、ネットワーク、システム、サブシステム、もしくは手段を介した通信関係、または（ｃ）任意の１つ以上の動作の全部もしくは一部が任意の１つ以上の他の動作に依存する機能的関係のうちいずれか１つ以上を含む、２つ以上のデバイス、本明細書に記載される任意の手段、本明細書に記載されるアクセサリ、装置、ファイル、プログラム、媒体、コンポーネント、材料、ネットワーク、システム、サブシステム、および／または手段間の関係を意味する。さらに、簡潔にするため、「連結され」とは一体形成を含む永久的取付けまたは着脱可能に取付け可能であることを意味する。
【００３９】
本明細書で使用する用語「プロセッサ」および／または「処理」および／または「コントローラ」および／または「制御する」とは、ハードウェア、ソフトウェア、回路機構または任意のこれらの組み合わせで実施され、かつアナログおよび／またはデジタルデータを処理するための、処理デバイス、装置、プログラム、回路、データ、データベース、センサ、電源、システムおよびサブシステムを意味する。
【００４０】
本明細書で使用する用語「データ」とは、永久的であれ一時的であれ、視覚、可聴、音響、電気、磁気、電磁気、赤外線、バイナリ、レーダ、レーザ、光または他で示される任意の表示、信号、情報、マーク、バイナリデータ、記号、数字、文字、語、ドメイン、記号セット、デジタルデータ、アナログデータ、説明、および任意の他の物理的形態または情報を表す形態を意味する。ある物理的形態で特定の情報を提示する本明細書で使用する用語「データ」は、異なる形態（単数または複数）での同じ情報の任意およびすべての表現を包含するものとみなされるべきである。
【００４１】
図１に図示されるように、マイクロホン１２００はハンドル１２０１とヘッド１２０４とを備える。マイクロホン１２００は通常、使用者の手１２０２がマイクロホンのハンドル１２０１を掴むような手持ち式マイクロホンである。使用者の手首は数表示１２０３で示される。図１にはっきり示すように、使用者の手１２０２が表示領域１０２および／または通信内容１０３を隠しているため、マイクロホンハンドル１２０１に取り付けられ、かつ／またはマイクロホンハンドル１２０１を使用して表示される任意の表示領域１０２および／または任意の通信内容１０３は表示できない。
【００４２】
図２に図示されるように、マイクロホンアクセサリ１１００は、カバー部分１４０１と保持部分１４１０とを備えてよく、アクセサリ１１００は、使用者の手１４０２がカバー部分１４０１の下で保持ゾーンまで摺動できるように構成されてよいため、使用者の手１４０２を覆うと同時に、マイクロホンのカバー部分１４０１は少なくとも１つの通信内容を表示でき、同時にマイクロホンのハンドルを永久的または着脱可能にホルダ部分１４１０に連結または取り付けることができる。例えば、マイクロホンハンドル（図示せず）はホルダ１４１０の開口１０１を通ってホルダ１４１０の中空体１０１０内に挿入され、これと摩擦係合できる。
【００４３】
したがって、少なくとも１つの静的通信内容ゾーン１１０１および／または少なくとも１つの動的通信内容ゾーン１１０５は、静的通信内容１４０３および／または動的通信内容１４０４を見ている人に見え、一方で使用者の手１４０２が静的通信内容１４０３および／または動的通信内容１４０４のビューを隠さないように使用者の手１４０２を覆う。
【００４４】
本発明の好ましい実施形態では、少なくとも１つの電子可変通信内容および／または複数の電子可変通信内容はマイクロホンのカバー部分１４０１で見えてもよい。
【００４５】
本発明の好ましい実施形態では、少なくとも１つの静的通信内容および／または複数の静的通信内容はマイクロホンのカバー部分１４０１で見えてもよい。
【００４６】
本発明の好ましい実施形態では、少なくとも１つの静的通信内容および／または少なくとも１つの電子可変通信内容はマイクロホンのカバー部分１４０１で見えてもよい。
【００４７】
図３に図示されるように、少なくとも１つの通信内容（例えば、静的通信内容１２１５）が、使用者の手がカバー部分１４０１上の表示領域１２３１に表示される通信内容の一部または全部を隠さずに表示できるように、マイクロホンアクセサリ１１００は、マイクロホン１２００のハンドル１２０１用のホルダ１４１０と、表示領域１２３１とを備え、使用者の手１２０２がホルダ１４１０の外表面と表示領域１２３１の内表面との間に嵌まることができるように構成されたホルダ１４１０と表示領域１２３１との間の間隙１２１１または保持部分１２１１または保持ゾーン１２１１を有する。ホルダ１４１０は、一端に開口１２３２と、内部にマイクロホンハンドル１２０１が挿入されるかまたは置かれて収容される中空領域１２３３とを備えてよい。好ましい実施形態では、マイクロホンハンドル１２０１は、永久的または着脱可能にホルダ１４１０の中空開口部１２３３内に摩擦係合されてよい。マイクロホン１２００の電子回路機構１２４２またはアンテナ１２４３および／または音声入力アタッチメント１２４４が自由で塞がれないまま、マイクロホン１２００の音声ケーブル、電源ケーブル、トランスミッタ／レシーバ、電源ユニット等（図示せず）に取り付けることができるように、ホルダ１４１０の第２の端部１２４０は開口部を備えてよい。
【００４８】
ホルダ１４１０はハンドル１２０１に適合するように成形されてよく、またはホルダ１４１０はハンドル１２０１に対して異なる形状を有してよい。例えば、ホルダ１４１０は実質的にハンドル１２０１を囲み、適合するように円筒形状を有してよい。
【００４９】
ホルダ１４１０およびカバー部分１４１０は任意の数の異なる材料から作製してよい。例えば、ホルダ１４１０およびカバー部分１４０１は厚いかまたは薄く、弾性、半弾性、または非弾性であり、軟質、半軟質または剛性等であってよい。ホルダ１４１０およびカバー部分１４０１は種々のプラスチック、金属、金属化プラスチック、ゴム、複合材料、メッシュ、ＰＶＣ、アルミニウム等から作製してよい。
【００５０】
カバー部分１４０１はホルダ１４１０に永久的または着脱可能に、かつ／または可逆的に、例えば、取付け構造１３００を使用することにより取り付けられてよい。重要なことに、保持部分１２１１はカバー部分１４０１とホルダ１４１０との間にある。人の手および／または人ではない物、例えば、スタンドおよび／またはステムおよび／または軸および／またはマイクロホン保持デバイス（図示せず）は、カバー部分１４０１の内表面とホルダ１４１０の外表面との間の保持部分１２１１を使用してホルダ１４１０を掴むか、またはホルダ１４１０に永久的または着脱可能に取り付けられてよい。
【００５１】
カバー部分１４０１の外表面１２３６は、少なくとも１つの通信内容を表示する少なくとも１つの表示ゾーンを備えてよい。カバー部分１４０１は同時に、見ている人の視野から使用者の手１２０２を隠し、さらに少なくとも１つの通信内容を上に表示するように構成されてよい。万が一使用者が所望する場合は、カバー部分１４０１は一切通信内容を表示しなくてもよいが、見ている人の視野に対して使用者の手１２０２を隠すために使用されてもよい。カバー部分１４０１はカメラ１２４０により撮影されて視聴者に送信できる。
【００５２】
カバー部分１４０１は少なくとも１つまたは複数（１２１５および／または１２１６および／または１２１４および／または１２１７および／または１２１８および／または１２１９および／または１２２０）の表示ゾーンおよび／または表示手段を備えてよい。
【００５３】
例えば、カバー部分１４０１は、静的通信内容を表示するための静的通信内容ゾーン１２１５または静的ディスプレイ１２１５を備えてよい。例えば、静的通信内容は直接カバー部分１４０１の静的表示ゾーン１２１５に印刷されてもよい。あるいは、表示ゾーン１２１５は磁気プラスチックから構成されてもよく、静的通信内容は磁石または磁気紙（湾曲可能および／または軟質であってよい）に直接印刷されてよいが、この磁石または磁気紙が通信内容ゾーン１２１５にてカバー部分１４０１に取り付けられてよく、これにより通信内容を表示する。
【００５４】
表示ゾーン１２１４は、ＬＣＤもしくはＬＥＤディスプレイまたは他の電子表示デバイス等の電子表示デバイスを使用して電子可変通信内容を表示できる。
【００５５】
電子表示デバイス１２１７は永久的または着脱可能にカバー部分１４０１に取り付けられてよく、少なくとも１つの電子可変通信内容を表示できる。例えば、電子表示デバイス１２１７はカバー部分１４０１に磁気で取り付けられてよい。アクセサリ１１００は、一括して数表示１２１２として参照番号が付けられた必要なハードウェア、ソフトウェア、回路機構、メモリ、データ入力、記憶手段、トランスミッタおよび／もしくはレシーバ、電源およびその他の器具を備え、有線１２１３．１および／もしくは無線１２１３で電子表示デバイス１２１４および／もしくは１２１７を駆動でき、かつ／または電子表示デバイス１２１４および／もしくは１２１７はそれら自体が、必要なハードウェア、ソフトウェア、回路機構、メモリ、データ入力、記憶手段、トランスミッタおよび／もしくはレシーバ、電源およびその他の器具を備え、それらのディスプレイを駆動し、少なくとも１つの可変通信内容を有線および／もしくは無線で表示できる。
【００５６】
表示デバイスは複数の手段を使用して、例えば、相反する極性の磁石を使用してカバー部分１４０１に取り付けられてよく、例えば、相反する極性の磁石が互いに実質的に位置合わせされて、表示デバイスがカバー部分１４０１の使用者が所望領域または位置においてカバー部分１４０１に着脱可能または永久的に取り付けられうるように、正極磁石を表示デバイスで使用してよく、負極磁石をカバー部分１４０１で使用する。
【００５７】
カバー部分１４０１は、曲面および／または成形されたおよび／または変形可能および／または改造可能および／または平面状および／または略平面状および／または丸い形および／または湾曲可能および／または軟質および／または剛性および／または半剛性および／またはプラスチックおよび／または金属化プラスチックおよび／またはゴムおよび／または複合材料および／またはナイロンおよび／またはＰＶＣおよび／またはアクリル等のうち少なくとも１つを含む群から選択されてよい。
【００５８】
カバー部分１４０１に取り付けられる通信内容は、静的ディスプレイおよび／または電子ディスプレイおよび／または電子可変ディスプレイおよび／またはプラスチックディスプレイおよび／または紙ディスプレイおよび／またはビニルディスプレイおよび／または磁気ディスプレイおよび／またはビニル紙ディスプレイ等のうち少なくとも１つを含む群から選択されてよい。
【００５９】
マイクロホンアクセサリ１１００は、監査ユニットまたはモジュールを備えてよく、表示データ、日付、時間、期間、広告主等が、ＧＰＳレシーバ／トランスミッタユニットまたはモジュール、ライセンスモジュール、デコミッショニングまたは許可ユニットまたはモジュール等（図示せず）での監査および／または質問および／または確認および／または請求目的のために無線または有線により後の検索またはリアルタイム伝送のためにローカルで保存されてよい。
【００６０】
図４に図示されるように、マイクロホン１２００のハンドル１２０１は、マイクロホンハンドルに実質的に適合して摩擦係合できるアクセサリ１１００のホルダ１４１０内に収容される。マイクロホンヘッド１２０４は目に見え、音または音声ピックアップおよび送信、記録等を含むその使用目的に使用可能である。マイクロホンケーブル１２５０は開口１２５１を通ってマイクロホン１２００に取り付けられてよい。カバー部分１４０１は同時に少なくとも１つの通信内容を表示しながら、使用者の手１２０３が見えないように遮蔽または隠すことができる。カバー部分１４０１は同時に複数の通信内容ゾーンまたは表示ゾーン（１２１５、１２１６、１２１４、１２１７、１２１８、１２１９、１２２０）から構成され、使用者の手１２０３が見えないように遮蔽または隠すことができる。
【００６１】
図４は、例えば、静的ディスプレイ１２１５、１２１６、１２１４および１２１７、ならびに電子可変ディスプレイ１２１８、１２１９および１２２０を含む複数の表示手段から構成されるアクセサリ１１００のカバー部分１４０１を示す。図示されているように、種々のディスプレイは異なる形状およびサイズであってよい
【００６２】
図４はさらに、静的表示ゾーン１２１５、１２１６、１２１４および１２１７、ならびに電子可変表示ゾーン１２１８、１２１９および１２２０を含む複数の表示ゾーンから構成されるアクセサリ１１００のカバー部分１４０１を示す。
【００６３】
図５に図示されるように、マイクロホンフラッグ１６００はマイクロホン１２００に取り付けられ、マイクロホンハンドル１２０１はマイクロホンフラッグ１６００から突出している。マイクロホンハンドル１２０１はハンドル１４１０内に挿入されてよい。ハンドル１４１０およびカバー部分１４０１は複数の手段を使用して、永久的または着脱可能にマイクロホンフラッグ１６００に取り付けられてよい。
【００６４】
アクセサリ１１００は接着剤、かぎホック、ベルクロ等を含む各種手段および／または方法を使用してマイクロホンフラッグ１６００に取り付けられてよい。好ましい実施形態では、マイクロホンフラッグ１６００は、少なくとも１つの磁石または複数の磁石１６０３および１６０４を備え、アクセサリ１１００は、磁石が互いを引き付けるようにマイクロホンフラッグ１６００の磁石とは極性が反対の少なくとも１つの磁石または複数の磁石１６０１および１６０２を備えるため、アクセサリ１１００をマイクロホンフラッグ１６００に永久的または着脱可能に取り付ける手段を提供する。磁石の使用は、マイクロホンハンドル１２０１のホルダ１４１０との摩擦係合と併用されても、または独立していてもよい。磁石はカバー部分１４０１に永久的または着脱可能に引き付けられうる。ホルダ１４１０は、その中空コア内に発泡体を備えてよく、その内部にマイクロホンハンドル１２０１が摩擦して受容され係合されうる（図示せず）。
【００６５】
カバー部分１４０１は、電子可変表示スクリーンであってもよい少なくとも１つの表示手段から構成されてもよく、これは曲面および／または軟質および／または湾曲可能および／または丸い形等であってよい。カバー部分１４０１は、電子可変表示スクリーンであってもよい１つの表示手段から構成されてもよく、これは曲面および／または軟質および／または湾曲可能および／または丸い形等であってよい。カバー部分１４０１は、複数の手段、例えば、磁石、クリップ、ヒンジ等を使用して保持部分１３００に着脱可能または永久的に取り付けられてよい。保持部分１３００は、複数の手段、例えば、磁石、クリップ、ヒンジ等を使用してホルダ１４１０に着脱可能または永久的に取り付けられてよい。アクセサリ１１００および／またはカバー１４０１は、必要なコンポーネント、電子機器、ハードウェア、ソフトウェア、コンピュータ、レシーバ、トランスミッタ等（図示せず）を備えてよく、カバー部分１４０１が少なくとも１つの電子可変通信内容を表示できる。
【００６６】
図６に図示されるように、カバー部分１４０１は、少なくとも１つの通信内容、例えば、外表面領域１７００に印刷されてよい静的通信内容１７０１の表示のために使用されうる外表面領域１７００を備える。
【００６７】
動的通信内容ゾーン１７０２は、少なくとも１つの電子可変通信内容の表示のための少なくとも１つの電子表示デバイスから構成されてもよい。カバー部分１４０１またはアクセサリ１１００は、必要なコンポーネント、回路機構、ハードウェア、ソフトウェア、メモリ、ドライバ、コネクタ、トランスミッタ、レシーバ、コンピュータ等を１７０３に備えてよいため、少なくとも１つの動的通信内容は無線または有線で動的通信内容ゾーン１７０２の電子表示デバイス１７０４に表示されてよい。
【００６８】
加えて、デバイス１７０５は、電子表示デバイス１７０４を使用して、または有線１７０５．２もしくは無線１７０５．１で、インターネット、無線プロトコル、セルラ方式、人工衛星等を使用して表示される少なくとも１つの通信内容を送信してよい。デバイス１７０５はコンピュータ、メディアプレーヤ、トランスミッタ、レシーバ、トランシーバ等であってよい。通信内容は少なくとも２つの電子表示デバイス間、例えば、電子表示デバイス１７０４と１７０７との間で表示制御デバイス１７０３を使用して、有線または無線で同期できる。表示制御デバイス１７０３はカバー部分１４０１またはアクセサリ１１００に永久的または着脱可能に取り付けられてよい。
【００６９】
好ましい実施形態では、カバー部分１４０１は、湾曲可能および／または剛性および／または略平面状および／または軟質および／または折り畳み可能な電子スクリーンおよび／またはディスプレイおよび／または電子表示デバイスおよび／またはプラスチックおよび／または金属化プラスチックから構成されてよい。
【００７０】
図７は、少なくとも１つの表示ゾーン１７６０がカバー部分１４０１に取り付けられているアクセサリ１１００を示す。表示手段１７６０は複数の通信内容１７２３および／または１７２９および／または１７４２および／または１７５３を表示できる。
【００７１】
カバー部分１４０１で表示される通信内容はテレビ、モバイルデバイス、タブレットコンピュータ、携帯電話、ラップトップコンピュータ、デスクトップコンピュータ等を含む複数のデバイスを使用して見ることができる。
【００７２】
図８に図示されるように、複数の接着剤が塗られた紙１７７０、１７７１、１７７２および１７７３はそれぞれ、上に印刷された少なくとも１つの通信内容１７７４、１７７５、１７７６および１７７７を有してよく、上に印刷されたそれぞれの通信内容１７７４、１７７５、１７７６および１７７７を有する複数の接着剤が塗られた紙１７７０、１７７１、１７７２および１７７３はカバー部分１４０１に接着により（着脱可能または永久的に）取り付けられてよい。
【００７３】
図９に図示されるように、アクセサリ１１００を使用しない場合、マイクロホン１８００のハンドル１８０１に表示できる任意の通信内容は、テレビ１８０３に示されるように、マイクロホン１８００のホルダの手１８０２によって一部または全部が見えないように塞がれるか、覆われるか、または隠されうる。重要なことには、通信内容が見ている人または見ている視聴者に見えないので、放送局またはマイクロホン１８００の使用者は、マイクロホン１８００のハンドル１８０１に表示される通信内容の広告主に料金を請求できなくなることがあるため、ハンドル１８０１に表示される通信内容は実質的に無駄になってしまう。
【００７４】
図１０に図示されるように、アクセサリ１１００は撮影され、無線および／または有線を使用して携帯電話１８０４に送信され、そのスクリーン上に表示される。カバー部分１４０１は少なくとも１つの通信内容１８０５または複数の通信内容１８０５および１８０６を表示できる。重要なことに、使用者の手は少なくとも１人の見ている人に対して少なくとも１つの通信内容１８０５を同時に表示できるカバー部分１４０１によって覆われているため、使用者の手首１８０７のみが見ている人に見え、使用者の手は見えない。重要なことには、カバー部分１４０１が見ている人または見ている視聴者に伝達できる通信内容を表示できるため、放送局または通信内容の送信者は、伝達者または広告主に通信内容を考慮した金額を請求できるので、通信内容に対する価値、およびアクセサリ１１０の使用なくしては放送局／送信者にもたらされえなかったであろう放送局／送信者への収入の流れを生み出す。通信内容は伝達者によって選択され評価される視聴者に送信され、届けられるため、伝達者はさらにアクセサリ１１００の使用による利益を享受する。
【００７５】
図１１に図示されるように、アクセサリ１１００は撮影され、無線および／または有線を使用してモバイルコンピュータまたはラップトップコンピュータ１８０９に送信され、そのスクリーン上に表示される。カバー部分１４０１は少なくとも１つの通信内容１８０５または複数の通信内容１８０５および１８０６を表示できる。重要なことに、使用者の手は少なくとも１人の見ている人に対して少なくとも１つの通信内容１８０６を同時に表示できるカバー部分１４０１によって覆われているため、使用者の手首１８０７のみが見ている人に見え、使用者の手は見えない。重要なことには、カバー部分１４０１が見ている人または見ている視聴者に伝達できる通信内容を表示できるため、放送局または通信内容の送信者は、伝達者または広告主に通信内容の量だけ金額を請求できるので、通信内容に対する価値、およびアクセサリ１１０の使用なくしては放送局／送信者にもたらされえなかったであろう放送局／送信者への収入の流れを生み出す。
【００７６】
図１２に図示されるように、アクセサリ１１００はマイクロホンフラッグ１８０８とともに使用されてもよい。アクセサリ１１００はマイクロホンフラッグ１８０８に取り付けられてもよく、またはアクセサリ１１００はマイクロホンフラッグ１８０８と連続していてもよい。アクセサリ１１００および／またはカバー部分１４０１は平面状または略平面状、曲面、円筒形、円形または丸い形、わずかにテーパした円筒形、円錐台、正方形、楕円形、三角形、細長い楕円形等であってよい。
【００７７】
さらに図１２に図示されるように、アクセサリ１１００はタブレットコンピュータ１８１０を使用して表示される。使用者の手首１８０７は見えるが、使用者の手はカバー部分１４０１の裏にあり見えない。マイクロホン１８００にはマイクロホンフラッグ１８０８が取り付けられている。マイクロホンフラッグ１８０８は少なくとも１つの通信内容１８２０または複数の通信内容１８２０および１８２１を表示できる。アクセサリ１１００はマイクロホンフラッグ１８０８に永久的または着脱可能に取り付けられてよい。アクセサリ１１００はマイクロホンフラッグ１８０８と実質的に位置合わせされてよく、かつ／またはアクセサリ１１００はマイクロホンフラッグ１８０８と実質的に連続していてもよく、かつ／またはアクセサリ１１００はマイクロホンフラッグ１８０８と実質的に同じ周辺部寸法で構成されてもよい。
【００７８】
アクセサリ１１００は、少なくとも１つのカバー部分１２３１または複数のカバー部分１２３１および１２３１．２および１２３１．３および１２３１．４を備えてよく、これらは永久的または着脱可能にアクセサリ１１００に取り付けられてよい。
【００７９】
アクセサリ１１００はマイクロホンフラッグを備えてよく、マイクロホンフラッグは永久的または着脱可能にアクセサリ１１００に取り付けられてよい。
【００８０】
アクセサリ１１００は、少なくとも１つのハンドルと永久的または着脱可能にアクセサリに取り付けられてよい少なくとも１つのカバー部分を備えてよい。
【００８１】
アクセサリ１１００は、少なくとも１つのハンドルと、（永久的または着脱可能にアクセサリに取り付けられてよい）少なくとも１つのカバー部分と、（永久的または着脱可能にアクセサリに取り付けられてよい）少なくとも１つのマイクロホンフラッグとを備えてよい。
【００８２】
少なくとも１つの通信内容または複数の通信内容はアクセサリ１１００のカバー部分および／またはマイクロホンフラッグに表示されてよく、このようなマイクロホンフラッグの通信内容は同期されてもされていなくてもよく、少なくとも１つの通信内容または複数の通信内容はアクセサリ１１００の少なくとも１つまたは複数のカバー部分に有線および／または無線で表示される。
【００８３】
図１２に図示されるように、マイクロホンフラッグ１８０８の第１の面の幅は点Ｘと点Ｙとの距離または長さであってよく、マイクロホンフラッグ１８０８の第２の面の幅は点Ｙと点Ｚとの距離または長さであってよい。好ましい実施形態では、カバー部分１２３１の第１の面は、マイクロホンフラッグ１８０８の第１の面の幅、すなわち点Ｘと点Ｙとの距離と同じサイズまたは距離または幅を有するように構成されてよい。カバー部分１４０１の第１の面の高さは点Ｘと点Ａとの距離であってよい。カバー部分１４０１の第１の面の全体寸法または面積は領域Ｘ−Ａ−Ｂ−Ｙである。
【００８４】
アクセサリ１１００のカバー部分１２３１．２は、マイクロホンフラッグ１８０８の第２の面の距離または幅、すなわち点Ｙと点Ｚとの距離と同じサイズまたは距離または幅を有するように構成されてよい。第２のカバー１２３１．２の高さは点Ｙと点Ｂとの距離であってよい。カバー部分１２３１．２の第２の面の全体寸法または面積は領域Ｙ−Ｂ−Ｃ−Ｚである。
【００８５】
表示カバー部分１２３１、１２３１．２、１２３１．３、および１２３１．４が図示されているようにマイクロホンフラッグ１８０８と実質的に位置合わせされるように、アクセサリ１１００はマイクロホンフラッグ１８０８に取り付けられてよい。
【００８６】
マイクロホンフラッグ１８０８は少なくとも１つの通信内容または複数の通信内容を表示できる。マイクロホンフラッグ１８０８はフラッグの第１の面１８３０の第１の通信内容１８２０とフラッグの第２の面１８３１の第２の通信内容１８２１とを表示できる。
【００８７】
第１のカバー部分１２３１は少なくとも１つの通信内容１８２２または複数の通信内容を表示できる。第２のカバー部分１２３１．２は少なくとも１つの通信内容１８２３または複数の通信内容を表示できる。
【００８８】
このような好ましい実施形態では、マイクロホンフラッグ１８０８を備えてよいアクセサリ１１００は４つの通信内容１８２０および１８２２および１８２１および１８２３を表示する。あるいは、アクセサリ１１００は通信内容１８２２および１８２３を表示できる。
【００８９】
重要なことに、好ましい実施形態において、通信内容のサイズをアクセサリ１１００を使用して大きくすることができるが、これは伝達者および放送局／送信者に有益である。というのも、通信内容のサイズが大きくなることによってそれを見ている人に通信内容をより目立たせ、放送局／送信者はアクセサリ１１００により表示される通信内容／広告の量が増えただけ料金請求することができるからである。
【００９０】
例えば、２つの別個の通信内容、すなわち、マイクロホンフラッグ１８０８の製品Ａについての第１の通信内容１８２０とカバー部分１２３１の製品Ｂについての第２の通信内容１８２２とを表示する代わりに、マイクロホンフラッグ１８０８の領域Ｘ−Ｙ−Ｆ−Ｅは、カバー部分１２４１の領域Ｘ−Ａ−Ｂ−Ｙと組み合わせられて、これにより複合型大領域Ｅ−Ａ−Ｂ−Ｆを形成してもよく、ここで例えば製品Ａまたは製品Ｃについてのより大きな通信内容／広告を表示してもよい。同様に、マイクロホンフラッグ１８０８の領域Ｙ−Ｚ−Ｇ−Ｆはカバー部分１２３１．２の領域Ｙ−Ｂ−Ｃ−Ｚと組み合わせられて、これにより複合型大領域Ｆ−Ｂ−Ｃ−Ｇを形成してもよく、ここで例えば製品Ｂまたは製品Ｄについてのより大きな通信内容／広告を表示してもよい。加えて、マイクロホンフラッグ１８０８の領域Ｙ−Ｚ−Ｇ−Ｆおよび領域Ｘ−Ｙ−Ｆ−Ｅはカバー部分１２３１．２の領域Ｙ−Ｂ−Ｃ−Ｚおよびカバー部分１２３１．２の領域Ｂ−Ｃ−Ｚ−Ｙではと組み合わせられて、これにより複合型大領域Ｅ−Ｆ−Ｇ−Ｃ−Ｂ−Ａを形成してもよく、ここで例えば製品Ｂまたは製品Ｅについてのより大きな通信内容／広告を表示する等してもよい。
【００９１】
図１３Ａに図示されるように、マイクロホン１４００はホルダ１４１０内に永久的または着脱可能に収容されてよい。カバー部分１４０１は複数の取付けおよび／または取外し手段を使用して、ホルダ１４１０に永久的または着脱可能に取り付けられてよい。例えば、好ましい実施形態において、ホルダ１４１０は、永久的または着脱可能に少なくとも１つのロッド１４０２または複数のロッド１４０２および１４０３を備えてよい。ロッド１４０２および１４０３はそれぞれ、開口１４３０および１４３１（雌型）を備えてよく、それらの内部に対応するロッド（雄型）１４０６および１４０５が摩擦係合またはその他の好適な取付けおよび／または取外し手段を使用して挿入されてよい。カバー部分１４０１に永久的または着脱可能に取り付けられてよい雄型ロッド１４０６および１４０５は、雌型ロッド１４０２および１４０３の開口１４３０および１４３１にそれぞれ挿入されてよい。ロッド１４０２および１４０２の距離または長さは図示されているように点ａとｂとの距離であってよい。距離ａ−ｂはホルダ１４１０の表面とカバー部分１４０１の内表面との間に人の手を収容できるだけ十分に長くてよい。カバー部分１４０１は１４０９に示されるようにマイクロホンの裏または後ろに向かって曲がっていてよい。
【００９２】
図１３Ｂは、ロッド１４０２および１４０３にロッド１４０５および１４０６がそれぞれ取り付けられ、これによりホルダ１４１０が永久的または着脱可能にカバー部分１４０１に連結されているのを示す。重要なことには、距離ａ−ｂにより、使用者の手１４１１はカバー部分１４０１とホルダ１４１０との間に嵌まることができ、使用者の手はマイクロホンのハンドル１４００が入ったホルダ１４１０を掴むことができる。カバー部分１４０１は、少なくとも１つの通信内容を表示する少なくとも１つの表示ゾーン１４１３を備えてよい。
【００９３】
図１４に図示されるように、代替的実施形態では、アクセサリ１２１０は、カバー部分１２３１．５と、使用者の手、特に指が係合可能でありカバー部分の裏面に配置される係合部分を有する保持部分とを備える。より詳細には、保持部分は少なくとも１つまたは複数の指ホルダ１９０２、１９０３、１９０４、および１９０５をカバー部分１２３１．５の裏側または裏面に備え、指ホルダ内に使用者の指１９０９を手袋のように挿入することができ、摩擦係合してしっかりと保持する。使用者の手の指は指ホルダ１９０２、．．．、１９０５内に配置されてよいが、使用者の指および手は依然として従来のようにマイクロホンを自由に保持できることが理解されるであろう。
【００９４】
したがって、この詳細な例示的実施形態では、保持部分はカバー部分の裏側または背側に取り付けられてよい。
【００９５】
カバー部分１２３１．５は、本明細書で開示した通り通信内容ゾーン、通信手段、電子機器、機械的構造、モータ等を備えてよい。例えば、カバー部分１２３１．５は、少なくとも１つの静的通信内容ディスプレイ１９０６および／または少なくとも１つの電子可変表示デバイス１９０７を備えてよい。
【００９６】
カバー部分１２３１．５は、曲面および／または変形可能および／または改造可能および／または湾曲可能および／または剛性および／または略平面状および／または軟質および／または折り畳み可能な電子スクリーンおよび／または電子表示デバイスおよび／またはプラスチックおよび／または金属化プラスチックおよび／またはゴムおよび／または複合材料および／またはナイロンおよび／またはＰＶＣおよび／またはアクリル等のうち少なくとも１つから構成されてよい。
【００９７】
動的通信内容ゾーン１９０７は、少なくとも１つの電子可変通信内容の表示のための少なくとも１つの電子表示デバイスから構成されてもよい。カバー部分１２３１．５は、必要なコンポーネント、回路機構、ハードウェア、ソフトウェア、メモリ、ドライバ、コネクタ、トランスミッタ、レシーバ、コンピュータ等を１９１０に備えてよいため、少なくとも１つの動的通信内容は無線１９１１または有線１９１２で動的通信内容ゾーン１９０７の電子表示デバイス１９０７を使用して表示されてよい。
【００９８】
加えて、デバイス１７０５は、電子表示デバイス１９０７を使用して、または有線１７０５．２もしくは無線１７０５．１で、インターネット、無線プロトコル、セルラ方式、人工衛星等を使用して表示される少なくとも１つの通信内容を送信してよい。デバイス１７０５はコンピュータ、メディアプレーヤ、トランスミッタ、レシーバ、トランシーバ等であってよい。通信内容は表示制御デバイス１７０３を使用して、有線または無線で少なくとも２つの電子表示デバイス間で同期されてもよい。表示制御デバイス１７０３はカバー部分１２３１．５に永久的または着脱可能に取り付けられてよい。
【００９９】
図１５に図示されるように、使用者の手および指１９０９は係合構造または指ホルダ１９０２、１９０３、１９０４、および１９０５の形態の指係合構造を有する保持部分と着脱可能に係合可能である。指ホルダ１９０２、．．．、１９０５はカバー部分１２３１．５の適切な背面または裏面に配置され、取り付けられるかまたは着脱可能に取付け可能であってよい。このようにして、保持部分は図１４を参照して上記で説明されたように手袋のように人の手が係合可能であってよい。すなわち、使用者１９０９は彼または彼女の手を使用してマイクロホンハンドル１９０１を掴むかまたは保持する。
【０１００】
図１６に図示されるように、使用者の手および指１９０９は、カバー部分１２３１．５を見ている人に見えず、少なくとも１つの通信内容１９２０は表示デバイス１９２１を使用して表示シールド１２３１．５を見ている人に見える。カバー部分１２３１．５および通信内容１９２０はカメラ１９２２により撮影され、視聴者に送信される。本明細書にて開示したような追加の表示手段および／またはゾーンが永久的または着脱可能にカバー部分１２３１．５に取り付けられてよい（図示せず）。
【０１０１】
図１７に図示されるように、アクセサリ１１００の代替的実施形態では、カバー１４０１はリング状クリップ１７００を備えた取付け構造によってマイクロホンのハンドルに着脱可能に取り付けられるかまたは永久的に取り付けられてよく、リング状クリップ１７００を通してマイクロホンハンドル（図示せず）は永久的または着脱可能に受容可能であってよい。クリップ１７００は、使用中にカバー部分１４０１の内表面とマイクロホンハンドルとの間に保持ゾーン１２１１を提供するようにスペーサを介してカバー部分１４０１から実質的に離間される。使用者の手（図示せず）は、使用中にマイクロホンハンドルを係合するために保持ゾーン１２１１内に受容可能である。
【０１０２】
カバー部分１４０１はプラスチック、金属化プラスチック、ＰＶＣ等の複数の材料から構成されてもよく、少なくとも１つの通信内容を表示できる。好ましい実施形態では、表示手段１７６０は電子可変表示スクリーンであってよく、これは曲面および／または軟質および／または湾曲可能および／または丸い形等であってよい。表示手段１７６０は、複数の手段、例えば、接着剤、磁石、ベルクロ等を使用してカバー１４０１に着脱可能または永久的に取り付けられてよい。
【０１０３】
カバー１４０１は、複数の手段、例えば、磁石、クリップ、ヒンジ等を使用して保持部分１３００に着脱可能または永久的に取り付けられてよい。保持部分１３００は、複数の手段、例えば、磁石、クリップ、ヒンジ等を使用してクリップ１７００に着脱可能または永久的に取り付けられてよい。アクセサリ１１００および／または表示手段１７６０は、必要なコンポーネント、電子機器、ハードウェア、ソフトウェア、コンピュータ、レシーバ、トランスミッタ等（図示せず）を備えてよく、表示手段１７６０が少なくとも１つの電子可変通信内容を表示できる。
【０１０４】
図１８に図示されるように、アクセサリ１１００の代替的実施形態では、カバー１４０１はリング状クリップ１７００の形態の取付け構造によって着脱可能または永久的に取り付けられてよい。クリップ１７００は、閉鎖リングを形成するように斜めになっている一対の円形顎部を備えてよい。顎部は使用中種々の厚さのマイクロホンハンドルに取り付けられるように操作可能である。
【０１０５】
保持ゾーン１２１１は使用中、本質的にカバー部分１４０１とマイクロホンハンドル（図示せず）との間に提供されるため、使用者の手（図示せず）はマイクロホンハンドルを掴むことができる。
【０１０６】
カバー部分１４０１は電子可変表示スクリーンであってよい少なくとも１つの表示手段から構成されてよく、これは曲面および／または軟質および／または湾曲可能および／または丸い形等であってよい。カバー部分１４０１は、電子可変表示スクリーンであってもよい少なくとも１つの表示手段から構成されてもよく、これは曲面および／または軟質および／または湾曲可能および／または丸い形等であってよい。カバー部分１４０１は、複数の手段、例えば、磁石、クリップ、ヒンジ等を使用して保持部分１３００に着脱可能または永久的に取り付けられてよい。保持部分１３００は、複数の手段、例えば、磁石、クリップ、ヒンジ等を使用してクリップ１７００に着脱可能または永久的に取り付けられてよい。アクセサリ１１００および／またはカバー部分１４０１は、必要なコンポーネント、電子機器、ハードウェア、ソフトウェア、コンピュータ、レシーバ、トランスミッタ等（図示せず）を備えてよく、カバー部分１４０１が少なくとも１つの電子可変通信内容を表示できる。
【０１０７】
図１９に図示されるように、アクセサリ１１００は撮影され、無線および／または有線を使用して携帯電話１８０４に送信され、そのスクリーン上に表示される。カバー部分１４０１は種々の形状およびサイズを有してよく、例えば、カバー部分１４０１はフットボール１９００またはラグビーボール１９００のように成形されてもよい。
【０１０８】
カバー部分１４０１は、曲面および／または成形されたおよび／または変形可能および／または改造可能および／または平面状および／または略平面状および／または丸い形および／または湾曲可能および／または軟質および／または剛性および／または半剛性および／またはプラスチックおよび／または金属化プラスチックおよび／または電子可変ディスプレイおよび／またはゴムおよび／または複合材料および／またはナイロンおよび／またはＰＶＣおよび／またはアクリル等のうち少なくとも１つを含む群から選択されてよい。
【０１０９】
カバー部分１４０１は、表示および／またはロゴおよび／または商標および／または物品および／または物質および／または製品表示および／または３Ｄ印刷物および／または通信内容および／またはデザインおよび／または画像および／またはデバイスおよび／または物体および／またはロゴおよび／またはブランドおよび／または広告および／または製品および／または商品および／または商標および／または商品名等のうち少なくとも１つを含む群から選択されてよい。
【０１１０】
カバー部分１４０１は少なくとも１つの通信内容１８０５または複数の通信内容１８０５および１８０６を表示できる。重要なことに、使用者の手は実質的にかつ／また全体または一部が、少なくとも１人の見ている人に少なくとも１つの通信内容１８０５を同時に表示できるカバー部分１４０１により覆われることが可能であるため、使用者の手首１８０７のみが見ている人に見え、使用者の手は見えない。
【０１１１】
重要なことには、カバー部分１４０１が見ている人または見ている視聴者に伝達できる通信内容を表示できるため、放送局または通信内容の送信者は、伝達者または広告主に通信内容を考慮した金額を請求できるので、通信内容に対する価値、およびアクセサリ１１０の使用なくしては放送局／送信者にもたらされえなかったであろう放送局／送信者への収入の流れを生み出す。通信内容は伝達者によって選択され評価される視聴者に送信され、届けられるため、伝達者はさらにアクセサリ１１００の使用による利益を享受する。
【０１１２】
図１２０に図示されるように、アクセサリ１１００は撮影され、無線および／または有線を使用して携帯電話１８０４に送信され、そのスクリーン上に表示される。カバー部分１４０１は種々の形状およびサイズを有してよく、例えば、カバー部分１４０１は飲料容器２００１のように成形されてよい。
【０１１３】
カバー部分１４０１は、曲面および／または成形されたおよび／または変形可能および／または改造可能および／または平面状および／または略平面状および／または丸い形および／または湾曲可能および／または軟質および／または剛性および／または半剛性および／またはプラスチックおよび／または金属化プラスチックおよび／または電子可変ディスプレイおよび／またはゴムおよび／または複合材料および／またはナイロンおよび／またはＰＶＣおよび／またはアクリル等のうち少なくとも１つを含む群から選択されてよい。
【０１１４】
カバー部分１４０１は、表示および／またはロゴおよび／または商標および／または物品および／または物質および／または製品表示および／または３Ｄ印刷物および／または通信内容および／またはデザインおよび／または画像および／またはデバイスおよび／または物体および／またはロゴおよび／またはブランドおよび／または広告および／または製品および／または商品および／または商標および／または商品名等のうち少なくとも１つを含む群から選択されてよい。
【０１１５】
カバー部分１４０１は少なくとも１つの通信内容１８０５または複数の通信内容１８０５および１８０６を表示できる。重要なことに、使用者の手は実質的にかつ／または全体または一部が、少なくとも１人の見ている人に少なくとも１つの通信内容１８０５を同時に表示できるカバー部分１４０１により覆われることが可能であるため、使用者の手首１８０７のみが見ている人に見え、使用者の手は見えない。
【０１１６】
重要なことには、カバー部分１４０１が見ている人または見ている視聴者に伝達できる通信内容を表示できるため、放送局または通信内容の送信者は、伝達者または広告主に通信内容を考慮した金額を請求できるので、通信内容に対する価値、およびアクセサリ１１０の使用なくしては放送局／送信者にもたらされえなかったであろう放送局／送信者への収入の流れを生み出す。通信内容は伝達者によって選択され評価される視聴者に送信され、届けられるため、伝達者はさらにアクセサリ１１００の使用による利益を享受する。
【０１１７】
本発明の技術分野、本発明の背景内容、本発明の発明の概要、および特許請求の範囲は、本発明の記述の完全な態様を成す。
【符号の説明】
【０１１８】
１０１  開口
１０２  表示領域
１０３  通信内容
１１０  アクセサリ
１４１  ホルダ
１０１０  中空体
１１００  マイクロホンアクセサリ
１１０１  静的通信内容ゾーン
１１０５  動的通信内容ゾーン
１２００  マイクロホン
１２０１  マイクロホンハンドル
１２０２  使用者の手
１２０３  使用者の手首、使用者の手
１２０４  マイクロホンヘッド
１２１０  アクセサリ
１２１１  保持ゾーン、保持部分、間隙
１２１２  数表示
１２１３．１  有線
１２１３  無線
１２１４  静的表示ゾーン、静的ディスプレイ、電子表示デバイス
１２１５  静的通信内容ゾーン、静的表示ゾーン、静的ディスプレイ、静的通信内容
１２１６  静的表示ゾーン
１２１７  電子表示デバイス
１２１８  電子可変表示ゾーン
１２１９  電子可変表示ゾーン
１２３１  表示カバー部分、カバー部分、第１のカバー部分、表示領域
１２３１．２  カバー部分、第２のカバー部分
１２３１．３  カバー部分
１２３１．４  カバー部分
１２３１．５  カバー部分、表示シールド
１２３２  開口
１２３３  中空領域、中空開口部
１２３６  外表面
１２４０  第２の端部、カメラ
１２４１  カバー部分
１２４２  電子回路機構
１２４３  アンテナ
１２４４  音声入力アタッチメント
１２５０  マイクロホンケーブル
１２５１  開口
１３００  保持部分、取付け構造
１４００  マイクロホン、ハンドル
１４０１  カバー部分
１４０２  使用者の手、雌型ロッド
１４０３  静的通信内容、雌型ロッド
１４０４  動的通信内容
１４０５  雄型ロッド
１４０６  雄型ロッド
１４１０  ハンドル、カバー部分、ホルダ部分、保持部分
１４１１  手
１４１３  表示ゾーン
１４３０  開口
１４３１  開口
１６００  マイクロホンフラッグ
１６０１  磁石
１６０３  磁石
１７００  外表面領域、クリップ
１７０１  静的通信内容
１７０２  動的通信内容ゾーン
１７０３  表示制御デバイス
１７０４  電子表示デバイス
１７０５  デバイス
１７０５．１  無線
１７０５．２  有線
１７２３  通信内容
１７２９  通信内容
１７４２  通信内容
１７５３  通信内容
１７６０  表示手段、表示ゾーン
１７７０  紙
１７７１  紙
１７７２  紙
１７７３  紙
１７７４  通信内容
１７７５  通信内容
１７７６  通信内容
１７７７  通信内容
１８００  マイクロホン
１８０１  ハンドル
１８０２  手
１８０３  テレビ
１８０４  携帯電話
１８０５  通信内容
１８０６  通信内容
１８０７  手首
１８０８  マイクロホンフラッグ
１８０９  ラップトップコンピュータ
１８１０  タブレットコンピュータ
１８２０  通信内容
１８２１  通信内容
１８２２  通信内容
１８２３  通信内容
１８３０  第１の面
１８３１  第２の面
１９００  ラグビーボール、フットボール
１９０１  マイクロホンハンドル
１９０２  指ホルダ
１９０３  指ホルダ
１９０４  指ホルダ
１９０５  指ホルダ
１９０６  静的通信内容ディスプレイ
１９０７  電子表示デバイス、動的通信内容ゾーン、電子可変表示デバイス
１９０９  使用者の指、使用者
１９１１  無線
１９１２  有線
１９２０  通信内容
１９２１  表示デバイス
１９２２  カメラ
２００１  飲料容器
【図１】
0006512459.tif 000002
【図２】
0006512459.tif 000003
【図３】
0006512459.tif 000004
【図４】
0006512459.tif 000005
【図５】
0006512459.tif 000006
【図６】
0006512459.tif 000007
【図７】
0006512459.tif 000008
【図８】
0006512459.tif 000009
【図９】
0006512459.tif 000010
【図１０】
0006512459.tif 000011
【図１１】
0006512459.tif 000012
【図１２】
0006512459.tif 000013
【図１３Ａ】
0006512459.tif 000014
【図１３Ｂ】
0006512459.tif 000015
【図１４】
0006512459.tif 000016
【図１５】
0006512459.tif 000017
【図１６】
0006512459.tif 000018
【図１７】
0006512459.tif 000019
【図１８】
0006512459.tif 000020
【図１９】
0006512459.tif 000021
【図２０】
0006512459.tif 000022